(57)【要約】【課題】施工時における接地線分離に係る作業性の向上を図ることが可能な、接地線付き平型ケーブルを提供する。【解決手段】接地線付き平型ケーブル１は、接地線２と、平型ケーブル３とを備えて構成されている。シース７の外面１０には、ホールド部１１が設けられている。ホールド部１１は、接地線２をあたかも掴むことができるような形状に形成されている。ホールド部１１は、シース７の外面１０から外側に突出する突出部分１２と、円弧状に凹んで接地線２の接地線絶縁体５の外面に接触する接触面１３とを有している。ホールド部１１は、接地線２に対して適度な密着力が得られるような形状になっている。ホールド部１１は、接地線２に対し、この接地線２の外周長さの１／１２以上〜１１／１２以下で接触するような形状になっている。【選択図】図１
2010153325.tif 000002
【特許請求の範囲】
【請求項１】
接地線と、所要数の絶縁線心を並べてこの上にシースを被覆してなる平型ケーブルと、を備える接地線付き平型ケーブルにおいて、
前記シース外面に前記接地線を保持するためのホールド部を設ける
ことを特徴とする接地線付き平型ケーブル。
【請求項２】
請求項１に記載の接地線付き平型ケーブルにおいて、
前記ホールド部は前記接地線の外周長さの１／１２〜１１／１２で接触し保持をする
ことを特徴とする接地線付き平型ケーブル。
【発明の詳細な説明】
【技術分野】
【０００１】
本発明は、接地線と平型ケーブルとを備える接地線付き平型ケーブルに関する。
【背景技術】
【０００２】
下記特許文献１には、接地線を必要とする電気機械器具の低圧屋内電気配線に使用される平型ビニル外装ケーブル（ＶＶＦ）と、接地線とを、密接若しくは近接させて一体化した、接地線付き平型ビニル外装ケーブルの技術が開示されている。
【０００３】
下記特許文献１の接地線付き平型ビニル外装ケーブルについて、もう少し具体的に説明すると、接地線付き平型ビニル外装ケーブルは、導体上に塩化ビニルの絶縁体を設けてなる絶縁線心を２本平行に配列し、これらに共通に塩化ビニルのシースを被覆して平型状に形成してなるＶＶＦと、接地導体上に塩化ビニルの絶縁体を設けてなる接地線とを備え、これらの側縁同士を密接させて一体化したものとなっている。
【０００４】
上記一体化の方法としては、（１）個別に製造されたＶＶＦと接地線とを接着剤により接着する方法、（２）ＶＶＦと接地線の両者の側縁を接触させ、加熱溶融することにより一体化する方法、（３）絶縁線心と接地導体とを間隔をあけて並べ、シースと接地線絶縁体とを同時に押出成形するとともに、この際にＶＶＦと接地線との間に帯板状のブリッジ部を形成して一体化する方法、が挙げられている。
【０００５】
上記のような接地線付き平型ビニル外装ケーブルは、施工時において一体化した部分を引き裂くことにより、ＶＶＦから接地線を分離することができるようになっている。
【特許文献１】実開平４−６１８１１号公報
【発明の開示】
【発明が解決しようとする課題】
【０００６】
ところで、上記従来技術にあっては、ＶＶＦと接地線の両者が固着した状態で一体化していることから、ＶＶＦから接地線を分離するためには、カッター等を用いての引き裂き作業になってしまう。従って、手で簡単に接地線を分離することができない作業であることから、作業性が良くないという問題点を有している。
【０００７】
本発明は、上記した事情に鑑みてなされたもので、施工時における接地線分離に係る作業性の向上を図ることが可能な、接地線付き平型ケーブルを提供することを課題とする。
【課題を解決するための手段】
【０００８】
上記課題を解決するためになされた請求項１記載の本発明の接地線付き平型ケーブルは、接地線と、所要数の絶縁線心を並べてこの上にシースを被覆してなる平型ケーブルと、を備える接地線付き平型ケーブルにおいて、前記シース外面に前記接地線を保持するためのホールド部を設けることを特徴としている。
【０００９】
このような特徴を有する本発明によれば、平型ケーブルと接地線とが固着した状態で一体化するのではなく、接地線が平型ケーブルのシースに保持された、言い換えれば掴まれた（ホールド（ｈｏｌｄ））状態で一体化する。施工時における接地線の分離は、カッター等を用いての引き裂き作業ではなく、手で簡単に行うことのできる引き剥がしの作業になる。
【００１０】
請求項２記載の本発明の接地線付き平型ケーブルは、請求項１に記載の接地線付き平型ケーブルにおいて、前記ホールド部は前記接地線の外周長さの１／１２〜１１／１２で接触し保持をすることを特徴としている。
【００１１】
このような特徴を有する本発明によれば、ホールド部と接地線との接触範囲を接地線の外周長さの１／１２〜１１／１２とするのは、１１／１２を上回った場合、ホールド部と接地線との密着力が高まりすぎる可能性があるからである。また、１／１２を下回った場合には、剥がれ易くなりすぎる可能性があるからである。
【発明の効果】
【００１２】
請求項１に記載された本発明によれば、施工時における接地線分離に係る作業性の向上を図ることができるという効果を奏する。
【００１３】
請求項２に記載された本発明によれば、ホールド部と接地線とのより良い接触範囲を提案することができるという効果を奏する。
【発明を実施するための最良の形態】
【００１４】
以下、図面を参照しながら説明する。図１は本発明の接地線付き平型ケーブルの一実施の形態を示す図であり、（ａ）は接地線付き平型ケーブルの端面図、（ｂ）は接地線付き平型ケーブルの斜視図である。
【００１５】
図１において、引用符号１は本発明の接地線付き平型ケーブルを示している。接地線付き平型ケーブル１は、接地線２と、平型ケーブル３とを備えて構成されている。接地線付き平型ケーブル１は、後述するが、施工時における接地線分離に係る作業性の向上を図ることができるものとなっている。先ず、上記の各構成について説明する。
【００１６】
接地線２は、所謂アース線であって、接地導体４（導体）と、接地線絶縁体５（絶縁体）とを備えて構成されている。接地導体４は、ＪＩＳ  Ｃ  ３１０２に適合又はこれに準じた軟銅線を用いてなるもので、単線となっている。接地線絶縁体５は、接地導体４の上に押出成形（被覆）される塩化ビニル製の絶縁体となっている。接地線２は、公知のものが用いられている。接地線絶縁体５は、識別用の色付けがなされている（例えば緑色となる表示色）。
【００１７】
平型ケーブル３は、通常、６００Ｖビニル絶縁ビニルシースケーブル（ＶＶＦ）と呼ばれるものであって、２本平行に並ぶ絶縁線心６と、シース７とを備えて構成されている（絶縁線心６の本数は一例であり、３本以上であっても良いものとする）。平型ケーブル３は、平型状に形成されている。本発明は、シース７に特徴を有している。
【００１８】
２本の絶縁線心６は、それぞれ、導体８と、絶縁体９とを備えて構成されている。導体８は、ＪＩＳ  Ｃ  ３１０２に適合又はこれに準じた軟銅線を用いてなるもので、単線となっている。絶縁体９は、導体８の上に押出成形（被覆）される塩化ビニル製のものとなっている。２本の絶縁線心６は、公知のものが用いられている。各絶縁体９は、識別用の色付けがなされている（例えば一方が黒色となる表示色、他方が白色となる表示色）。２本の絶縁線心６は、特に限定するものでないが、接地線２よりも若干太いものとなっている。
【００１９】
シース７は、塩化ビニル製であって、絶縁線心６を２本平行に配列し、これらに共通な被覆となるように押出成形によって形成されている。シース７は、例えば灰色となる表示色になっている。このようなシース７の外面１０には、ホールド部１１が設けられている。ホールド部１１は、本発明の特徴部分であって、接地線２を保持することができるような形状になっている。
【００２０】
ホールド部１１についてもう少し詳しく説明すると、ホールド部１１は、接地線２をあたかも掴むことができるような形状に形成されている。ホールド部１１は、シース７の外面１０から外側に突出する突出部分１２と、円弧状に凹んで接地線２の接地線絶縁体５の外面に接触する接触面１３とを有している。ホールド部１１は、接地線２に対して適度な密着力が得られるような形状に形成されている。
【００２１】
ホールド部１１は、このホールド部１１と接地線２との密着力（ホールド力）が２Ｎ〜２０Ｎになるような形状に形成されている（ここでは、接地線２を容易に引き剥がす（分離する）ことができ、ケーブル輸送時には容易に剥がれることのない密着力を２Ｎ〜２０Ｎとしている）。
【００２２】
ホールド部１１は、接地線２に対し、この接地線２の外周長さの１／１２以上〜１１／１２以下で接触するような形状に形成されている（接触面１３の円弧長さが接地線２の外周長さの１／１２以上〜１１／１２以下になる。尚、好ましくは１／１２以上〜１／２以下とする）。
【００２３】
ホールド部１１は、２本の絶縁線心６が並ぶ方向の位置（曲面部分１４）に設けられている（上記並ぶ方向に直交する方向の位置（平面部分１５）に設けてもよいものとする）。ホールド部１１は、ケーブル全長にわたって設けられている。
【００２４】
次に、上記構成及び構造に基づきながら、本発明の接地線付き平型ケーブル１の製造方法について説明する。
【００２５】
予め接地線２及び２本の絶縁線心６を製造した上で、これらを一列に並べ、この後に押出成形機で塩化ビニル樹脂を押し出してシース７を成形すると、本発明の接地線付き平型ケーブル１が製造される。シース７は、上記形状のホールド部１１を設けてなるものであることから、押出成形を行うと、ホールド部１１が接地線２に対して適度な密着力で接触するように成形される。
【００２６】
以上、図１を参照しながら説明してきたように、本発明によれば、接地線２と平型ケーブル３とが従来例のような固着した状態で一体化するのではなく、接地線２が平型ケーブル３のシース７に保持された、言い換えれば掴まれた（ホールド（ｈｏｌｄ））状態で一体化する。従って、施工時における接地線２の分離は、従来例のようなカッター等を用いての引き裂き作業ではなく、手で簡単に行うことのできる引き剥がしの作業になる。
【００２７】
本発明によれば、施工時における接地線分離に係る作業性の向上を図ることができるという効果を奏する。
【００２８】
本発明は本発明の主旨を変えない範囲で種々変更実施可能なことは勿論である。
【００２９】
本発明の接地線付き平型ケーブル１は、各部分の表示色を異ならせていることから、目視による識別性を高めたケーブルにもなっている（ホールド部１１に保持された接地線２を識別することは形状的に容易であるが、本発明では表示色を更に異ならせて識別性の向上を図っている）。
【図面の簡単な説明】
【００３０】
【図１】本発明の接地線付き平型ケーブルの一実施の形態を示す図であり、（ａ）は接地線付き平型ケーブルの端面図、（ｂ）は接地線付き平型ケーブルの斜視図である。
【符号の説明】
【００３１】
１  接地線付き平型ケーブル
２  接地線
３  平型ケーブル
４  接地導体
５  接地線絶縁体
６  絶縁線心
７  シース
８  導体
９  絶縁体
１０  外面
１１  ホールド部
１２  突出部分
１３  接触面
１４  曲面部分
１５  平面部分
【図１】
2010153325.tif 000003